(57)【要約】【課題】  シリンジの収容部の外部から糊状接合剤の確認が容易で、使用途上において糊状接合剤の切れを無くすることができるディスペンサを提供する。【解決手段】  本発明のディスペンサは、糊状接合剤２を収容する収容部１ａ、及び圧力によって糊状接合剤２が押し出されるノズル１ｂを有したシリンジ１と、このシリンジ１の外周部に配置された温度調整器４とを備え、シリンジ１の収容部１ａは、外部から糊状接合剤２が透視できる材料で形成されると共に、温度調整器４には、収容部１ａを目視できる透視部４ａが設けられたため、透視部４ａから収容部１ａ内の糊状接合剤２の減り具合が目視により正確に確認でき、使用途上において糊状接合剤２の切れを無くすることができる。【選択図】        図２
2005319406.tif 000002
【特許請求の範囲】
【請求項１】
糊状接合剤を収容する収容部、及び圧力によって前記糊状接合剤が押し出されるノズルを有したシリンジと、このシリンジの外周部に配置された温度調整器とを備え、前記シリンジの前記収容部は、外部から前記糊状接合剤が透視できる材料で形成されると共に、前記温度調整器には、前記収容部を目視できる透視部が設けられたことを特徴とするディスペンサ。
【請求項２】
前記透視部は、前記ノズル側に位置する前記収容部が目視できるようにしたことを特徴とする請求項１記載のディスペンサ。
【請求項３】
前記収容部と前記温度調整器を覆うカバーを有し、このカバーは透視できる窓部を有し、この窓部から前記透視部を通して前記収容部が目視できることを特徴とする請求項１、又は２記載のディスペンサ。
【請求項４】
前記シリンジが前記温度調整器と前記カバーから取り外し可能としたことを特徴とする請求項３記載のディスペンサ。
【発明の詳細な説明】
【技術分野】
【０００１】
本発明はクリーム半田等の糊状接合剤に使用して好適なディスペンサに関する。
【背景技術】
【０００２】
図３は従来のディスペンサの概略図で、次に、従来のディスペンサの構成を図３に基づいて説明すると、シリンジ５１は、全体が不透明な材料で形成され、粘性のある糊状接合剤（図示せず）を収容する筒状の収容部５１ａと、収容部５１ａの下部に設けられ、圧力によって糊状接合剤が押し出されるノズル５１ｂを有し、このシリンジ５１は、糊状接合剤が収容部５１ａの上部から注入されると共に、収容部５１ａの上部から圧力を加えることによって、ノズル５１ｂから糊状接合剤が押し出されるようになっている。
【０００３】
温度調整器５２は、収容部５１ａの外周のほぼ全周にわたって配置され、この温度調整器５２は、糊状接合剤の粘性を調整するようになっている。（例えば、特許文献１参照）
【０００４】
しかし、従来のディスペンサは、収容部５１ａが不透明な材料で形成されているため、収容部５１ａ内の糊状接合剤の減り具合が不明で、使用途上において糊状接合剤が無くなったり、或いは、温度調整器５２からシリンジ５１を取り外して、糊状接合剤の減り具合を確認するため、その確認作業が面倒で、しかも、糊状接合剤の減り状態を収容部５１ａの上部から確認するため、糊状接合剤の減り具合の正確な確認ができない。
【０００５】
【特許文献１】特開平５−１６８９９７号公報
【発明の開示】
【発明が解決しようとする課題】
【０００６】
従来のディスペンサは、収容部５１ａが不透明な材料で形成されているため、収容部５１ａ内の糊状接合剤の減り具合が不明で、使用途上において糊状接合剤が無くなったり、或いは、温度調整器５２からシリンジ５１を取り外して、糊状接合剤の減り具合を確認するため、その確認作業が面倒で、しかも、糊状接合剤の減り状態を収容部５１ａの上部から確認するため、糊状接合剤の減り具合の正確な確認ができないという問題がある。
【０００７】
そこで、本発明はシリンジの収容部の外部から糊状接合剤の確認が容易で、使用途上において糊状接合剤の切れを無くすることができるディスペンサを提供することを目的とする。
【課題を解決するための手段】
【０００８】
上記課題を解決するための第１の解決手段として、糊状接合剤を収容する収容部、及び圧力によって前記糊状接合剤が押し出されるノズルを有したシリンジと、このシリンジの外周部に配置された温度調整器とを備え、前記シリンジの前記収容部は、外部から前記糊状接合剤が透視できる材料で形成されると共に、前記温度調整器には、前記収容部を目視できる透視部が設けられた構成とした。
【０００９】
また、第２の解決手段として、前記透視部は、前記ノズル側に位置する前記収容部が目視できるようにした構成とした。
また、第３の解決手段として、前記収容部と前記温度調整器を覆うカバーを有し、このカバーは透視できる窓部を有し、この窓部から前記透視部を通して前記収容部が目視できる構成とした。
また、第４の解決手段として、前記シリンジが前記温度調整器と前記カバーから取り外し可能とした構成とした。
【発明の効果】
【００１０】
本発明のディスペンサは、糊状接合剤を収容する収容部、及び圧力によって糊状接合剤が押し出されるノズルを有したシリンジと、このシリンジの外周部に配置された温度調整器とを備え、シリンジの収容部は、外部から糊状接合剤が透視できる材料で形成されると共に、温度調整器には、収容部を目視できる透視部が設けられたため、透視部から収容部内の糊状接合剤の減り具合が目視により正確に確認でき、使用途上において糊状接合剤の切れを無くすることができる。
【００１１】
また、透視部は、ノズル側に位置する収容部が目視できるようにしたため、透視部の範囲を小さくできると共に、収容部内の糊状接合剤の減り具合を的確に確認できる。
【００１２】
また、収容部と温度調整器を覆うカバーを有し、このカバーは透視できる窓部を有し、この窓部から透視部を通して収容部が目視できるため、収容部と温度調整器は、カバーによって外力からの保護ができると共に、シリンジ、温度調整器、及びカバーが一体化された単一部材として構成できて、設置等に適したものが得られる。
【００１３】
また、シリンジが温度調整器とカバーから取り外し可能としたため、シリンジの取り換えや糊状接合剤の注入に好適なものが得られる。
【発明を実施するための最良の形態】
【００１４】
本発明のディスペンサの図面を説明すると、図１は本発明のディスペンサに係る正面図、図２は本発明のディスペンサに係る要部断面図で、次に、本発明のディスペンサの構成を図１，図２に基づいて説明すると、シリンジ１は、全体が透明、或いは半透明の透視できる材料で形成されている。
【００１５】
このシリンジ１は、クリーム半田等の粘性のある糊状接合剤２を収容する筒状の収容部１ａと、収容部１ａの下部に設けられ、圧力によって糊状接合剤２が押し出されるノズル１ｂと、収容部１ａの上部に設けられ、糊状接合剤２を注入し、且つ、圧縮空気が送り込まれる開口部を有する筒状部１ｃを有し、このシリンジ１の筒状部１ｃは、圧縮空気を送るパイプ３が取り付けられ、このパイプ３によって、収容部１ａ内に収容された糊状接合剤２に圧力が加えられ、ノズル１ｂから糊状接合剤２が押し出されるようになっている。
【００１６】
ペルチェ式等からなる温度調整器４は、収容部１ａの外周に配置され、少なくともノズル１ｂの近傍に位置する収容部１ａと対向する箇所に設けられた削除部からなる透視部４ａを有し、この温度調整器４の外方からは、透視部４ａから収容部１ａを通して収容部１ａ内の糊状接合剤２の減り具合が目視により確認できると共に、温度調整器４は、糊状接合剤２の粘性を調整するようになっている。
【００１７】
金属材等からなるカバー５は、分割された部材によって構成されると共に、内部に設けられた筒状の収納部５ａと、上下部に設けられた孔５ｂ、５ｃと、切り欠き部、或いは透明や半透明の材料からなる窓部５ｄを有し、このカバー５は、収納部５内に収容部１ａと温度調整器４を収納した状態で、孔５ｂからノズル１ｂが、また、孔５ｃから筒状部１ｃが突出して、シリンジ１，温度調整器４，及びカバー５が一体化された単一部材となっている。
【００１８】
そして、シリンジ１，温度調整器４，及びカバー５が一体化された際、窓部５ｄは、温度調整器４の透視部４ａと対向した位置にあって、この窓部５ｄからは、透視部４ａを通して収容部１ａ内の糊状接合剤２の減り具合が目視により確認できるようになっている。
【００１９】
また、シリンジ１は、温度調整器４とカバー５から取り外し可能となっており、これによって、シリンジ１の交換ができると共に、シリンジ１を取り外した状態で、糊状接合剤２の注入かできるようになっている。
【００２０】
なお、上記実施例では、カバー５を使用したもので説明したが、カバー無しでも良いこと勿論である。
【図面の簡単な説明】
【００２１】
【図１】本発明のディスペンサに係る正面図。
【図２】本発明のディスペンサに係る要部断面図。
【図３】従来のディスペンサの概略図。
【符号の説明】
【００２２】
１：シリンジ
１ａ：収容部
１ｂ：ノズル
１ｃ：筒状部
２：糊状接合剤
３：パイプ
４：温度調整器
４ａ：透視部
５：カバー
５ａ：収納部
５ｂ、５ｃ：孔
５ｄ：窓部
【図１】
2005319406.tif 000003
【図２】
2005319406.tif 000004
【図３】
2005319406.tif 000005